【手続補正書】
【提出日】平成20年2月5日(2008.2.5)
【手続補正１】
【補正対象書類名】明細書
【補正対象項目名】発明の名称
【補正方法】変更
【補正の内容】
【発明の名称】パチンコ機
【手続補正２】
【補正対象書類名】明細書
【補正対象項目名】特許請求の範囲
【補正方法】変更
【補正の内容】
【特許請求の範囲】
【請求項１】 
遊技者にとって価値のある特別遊技状態を生起するパチンコ機であって、
所定条件の充足により、変動表示後に確定表示され、前記確定表示された種類により前記特別遊技状態の有無を報知し、特別図柄を表示する図柄表示手段と、
効果音発生手段を制御する音制御手段、及び、電飾手段を制御する電飾制御手段のうち少なくとも一方と、
コマンドを発信する主制御手段と、
前記図柄表示手段、並びに、 前記音制御手段及び前記電飾制御手段のうち少なくとも一方を、前記主制御手段からのコマンドに基づいて制御するコマンド処理手段と
を含み、
前記コマンドには、
前記図柄表示手段における前記特別図柄に関する前記変動表示、並びに、前記効果音発生手段における発音及び前記電飾手段における電飾点灯のうち少なくとも一方に係る時間を指定する第１コマンドと、
前記確定表示の種類を指定する第２コマンドと、
前記時間の経過後において発せられる、前記図柄表示手段における前記確定表示の実行を指令する第３コマンドと
が含まれており、
前記コマンド処理手段は、
前記第１コマンドに基づいて、前記図柄表示手段に、前記時間の経過後も継続する前記変動表示をさせるとともに、前記音制御手段及び前記電飾制御手段のうち少なくとも一方に、前記時間の経過時に停止する、前記発音及び前記電飾点灯のうち少なくとも一方の制御をさせ、
前記第３コマンドに基づいて、前記図柄表示手段に、前記第２コマンドの種類に基づく 前記確定表示をさせるとともに、前記音制御手段及び前記電飾制御手段のうち少なくとも一方に、前記発音及び前記電飾点灯のうち少なくとも一方の一旦停止制御をさせる
ことを特徴とするパチンコ機。
【請求項２】
前記コマンド処理手段は、受信した前記コマンドに基づいて、新たなコマンドを生成することを特徴とする請求項１に記載のパチンコ機。
【請求項３】
前記新たなコマンドは、受信した前記コマンドが所定のものと相違する場合に生成される、エラー表示を指令するものを含むことを特徴とする請求項２に記載のパチンコ機。
【請求項４】
前記コマンド処理手段は、受信した前記コマンドを出力するコマンド出力端子を備えたものであることを特徴とする請求項１から請求項３のいずれかに記載のパチンコ機。
【手続補正３】
【補正対象書類名】明細書
【補正対象項目名】０００１
【補正方法】変更
【補正の内容】
【０００１】
【発明の属する技術分野】
本発明は、パチンコ機に関する。
【手続補正４】
【補正対象書類名】明細書
【補正対象項目名】０００８
【補正方法】変更
【補正の内容】
【０００８】
【課題を解決するための手段】
本発明のうち、請求項１に記載の発明は、遊技者にとって価値のある特別遊技状態を生起するパチンコ機であって、所定条件の充足により、変動表示後に確定表示され、前記確定表示された種類により前記特別遊技状態の有無を報知し、特別図柄を表示する図柄表示手段と、効果音発生手段を制御する音制御手段、及び、電飾手段を制御する電飾制御手段のうち少なくとも一方と、コマンドを発信する主制御手段と、前記図柄表示手段、並びに、 前記音制御手段及び前記電飾制御手段のうち少なくとも一方を、前記主制御手段からのコマンドに基づいて制御するコマンド処理手段とを含み、前記コマンドには、前記図柄表示手段における前記特別図柄に関する前記変動表示、並びに、前記効果音発生手段における発音及び前記電飾手段における電飾点灯のうち少なくとも一方に係る時間を指定する第１コマンドと、前記確定表示の種類を指定する第２コマンドと、前記時間の経過後において発せられる、前記図柄表示手段における前記確定表示の実行を指令する第３コマンドと
が含まれており、前記コマンド処理手段は、前記第１コマンドに基づいて、前記図柄表示手段に、前記時間の経過後も継続する前記変動表示をさせるとともに、前記音制御手段及び前記電飾制御手段のうち少なくとも一方に、前記時間の経過時に停止する、前記発音及び前記電飾点灯のうち少なくとも一方の制御をさせ、前記第３コマンドに基づいて、前記図柄表示手段に、前記第２コマンドの種類に基づく 前記確定表示をさせるとともに、前記音制御手段及び前記電飾制御手段のうち少なくとも一方に、前記発音及び前記電飾点灯のうち少なくとも一方の一旦停止制御をさせることを特徴とする。
【手続補正５】
【補正対象書類名】明細書
【補正対象項目名】０００９
【補正方法】変更
【補正の内容】
【０００９】
また、請求項２に記載の発明は、請求項１に記載の発明において、コマンド処理手段は、受信したコマンドに基づいて、新たなコマンドを生成することを特徴とする。
【手続補正６】
【補正対象書類名】明細書
【補正対象項目名】００１０
【補正方法】変更
【補正の内容】
【００１０】
更に、請求項３に記載の発明は、請求項２に記載の発明において、新たなコマンドは、受信したコマンドが所定のものと相違する場合に生成される、エラー表示を指令するものを含むことを特徴とする。
【手続補正７】
【補正対象書類名】明細書
【補正対象項目名】００１１
【補正方法】変更
【補正の内容】
【００１１】
また更に、請求項４に記載の発明は、請求項１から請求項３に記載の発明において、コマンド処理手段は、受信したコマンドを出力するコマンド出力端子を備えたものであることを特徴とする。
【手続補正８】
【補正対象書類名】明細書
【補正対象項目名】００８６
【補正方法】変更
【補正の内容】
【００８６】
【発明の効果】
本発明のうち、請求項１に記載の発明は、遊技者にとって価値のある特別遊技状態を生起するパチンコ機であって、所定条件の充足により、変動表示後に確定表示され、前記確定表示された種類により前記特別遊技状態の有無を報知し、特別図柄を表示する図柄表示手段と、効果音発生手段を制御する音制御手段、及び、電飾手段を制御する電飾制御手段のうち少なくとも一方と、コマンドを発信する主制御手段と、前記図柄表示手段、並びに、 前記音制御手段及び前記電飾制御手段のうち少なくとも一方を、前記主制御手段からのコマンドに基づいて制御するコマンド処理手段とを含み、前記コマンドには、前記図柄表示手段における前記特別図柄に関する前記変動表示、並びに、前記効果音発生手段における発音及び前記電飾手段における電飾点灯のうち少なくとも一方に係る時間を指定する第１コマンドと、前記確定表示の種類を指定する第２コマンドと、前記時間の経過後において発せられる、前記図柄表示手段における前記確定表示の実行を指令する第３コマンドと
が含まれており、前記コマンド処理手段は、前記第１コマンドに基づいて、前記図柄表示手段に、前記時間の経過後も継続する前記変動表示をさせるとともに、前記音制御手段及び前記電飾制御手段のうち少なくとも一方に、前記時間の経過時に停止する、前記発音及び前記電飾点灯のうち少なくとも一方の制御をさせ、前記第３コマンドに基づいて、前記図柄表示手段に、前記第２コマンドの種類に基づく 前記確定表示をさせるとともに、前記音制御手段及び前記電飾制御手段のうち少なくとも一方に、前記発音及び前記電飾点灯のうち少なくとも一方の一旦停止制御をさせるので、図柄表示と発音と電飾とを効率良くかつ信頼性高く制御するとともに、パチンコ機の内部構成をシンプルにすることができ、更に、割込みを割り出す基板による不正行為を防止する一方、多彩な演出を実行することができ、特別図柄につき効率的かつ斬新・多彩な演出を実行することができる、という効果を奏する。
【手続補正９】
【補正対象書類名】明細書
【補正対象項目名】００８７
【補正方法】変更
【補正の内容】
【００８７】
また、請求項２に記載の発明は、請求項１に記載の発明において、コマンド処理手段は、受信したコマンドに基づいて、新たなコマンドを生成するので、請求項１に記載の発明の効果に加えて、各種コマンドの受信により生ずる各種事態を報知することができ、また各種部材に適合した形で信号を提供することができる、という効果を奏する。
【手続補正１０】
【補正対象書類名】明細書
【補正対象項目名】００８８
【補正方法】変更
【補正の内容】
【００８８】
更に、請求項３に記載の発明は、請求項２に記載の発明において、新たなコマンドは、受信したコマンドが所定のものと相違する場合に生成される、エラー表示を指令するものを含むので、請求項２に記載の発明の効果に加えて、エラー状態を的確に報知することができる、という効果を奏する。
【手続補正１１】
【補正対象書類名】明細書
【補正対象項目名】００８９
【補正方法】変更
【補正の内容】
【００８９】
また更に、請求項４に記載の発明は、請求項１から請求項３に記載の発明において、コマンド処理手段は、受信したコマンドを出力するコマンド出力端子を備えているので、請求項１から請求項３に記載の発明の効果に加えて、外部装置により、遊技機の動作チェックを簡単に行うことができる、という効果を奏する。